(57)【特許請求の範囲】
【請求項１】
空気調和機の吹出口に取付けられる風向き調整部材と、前記吹出口に設けられた固定爪を有し前記風向き調整部材を支持する支持部とを備え、
前記風向き調整部材は前記支持部に対して移動可能であるとともに、移動方向と長手方向を同じくする長孔を有し、前記長孔は前記風向き調整部材の移動方向に沿って二箇所に設けられ、前記長孔を前記固定爪により夫々支持されてなり、
一方の前記固定爪は、前記長孔の短手方向の両縁部を支持する両縁固定爪であり、
他方の前記固定爪は、前記長孔の短手方向の片縁部を支持する片縁固定爪であることを特徴とする空気調和機。
【請求項２】
前記風向き調整部材は、前記吹出口に固定される固定部を有しており、
前記支持部は吹出口の一面側に設けられており、前記固定部は前記吹出口の他面側に固定されることを特徴とする請求項１に記載の空気調和機。
【発明の詳細な説明】
【技術分野】
【０００１】
本発明は、空気調和機に係わり、より詳細には、空気調和機の風向を変更する風向変更板の取付構造に関する。
【背景技術】
【０００２】
従来、空気調和機から吹出される風の向きを変える樹脂製の風向板の取付構造において、複数の風向板が連結された風向き調整機構を吹出口に取付けるようにしているものがある。
風向き調整機構は、複数の風向板を連結する連結部と、風向き調整機構を吹出口に固定する固定部と、連結部を吹出口に対して移動自在に係止する係止部とを備え、連結部にツマミを設け、ツマミを手で操作することで風向を変更できるようにしている。
【０００３】
ここで係止部は、連結部に設けられた円弧状の長孔に固定爪を係止するようにしており、固定爪は、長孔の短手方向片側の縁部を支持するようになっている。また、風向き調整機構は吹出口の外側から取り付けるため、固定爪は固定爪保持部を介して、吹出口の上面に外側に向かって固定されている。
【０００４】
しかしながら、ツマミを操作する際に吹出口の外側に向けて力をかけると、固定爪が外側を向いているため、固定爪から連結部が外れてしまうという問題があった。
【先行技術文献】
【特許文献】
【０００５】
【特許文献１】特開２００６−１３２７８９号公報（段落００２５、第２図、第５図）
【発明の概要】
【発明が解決しようとする課題】
【０００６】
本発明は、風向き調整機構が吹出口から脱落することを防ぐことを目的とする。
【課題を解決するための手段】
【０００７】
本発明は上述の課題を解決するため、請求項１に関する発明は、空気調和機の吹出口に取付けられる風向き調整部材と、前記吹出口に設けられた固定爪を有し前記風向き調整部材を支持する支持部とを備え、前記風向き調整部材は前記支持部に対して移動可能であるとともに、移動方向と長手方向を同じくする長孔を有し、前記長孔は前記風向き調整部材の移動方向に沿って二箇所に設けられ、前記長孔を前記固定爪により夫々支持されてなり、一方の前記固定爪は、前記長孔の短手方向の両縁部を支持する両縁固定爪であり、他方の前記固定爪は、前記長孔の短手方向の片縁部を支持する片縁固定爪であることを特徴としている。
【０００９】
また、請求項２に関する発明は、前記風向き調整部材は、前記吹出口に固定される固定部を有しており、前記支持部は吹出口の一面側に設けられており、前記固定部は前記吹出口の他面側に固定されることを特徴としている。
【発明の効果】
【００１１】
請求項１に係わる発明は、長孔が風向き調整部材の二箇所に設けられており、一方の長孔の短手方向の両縁部を、吹出口に設けられた両縁固定爪で支持するようにしている。吹出口に設けられた支持部から、長孔の短手方向の両側に向けて固定爪が延出されており、長孔を前側縁と後側縁で支持している。
【００１３】
また、他方の長孔の短手方向の片縁部を吹出口に設けられた片縁固定爪で支持するようにしている。吹出口に設けられた支持部から、長孔の短手方向の片側に固定爪が延出されており、長孔の前側縁または後側縁を支持している。
【００１４】
これにより、風向き調整部材を強く引っ張った場合でも、両縁固定爪により長孔を保持することができ、風向き調整部材が吹出口から脱落することを防止できる。また、風向き調整部材を二箇所で支持でき、風向き調整部材が支持部に対して回転しなくなるため、より強固に風向き調整部材を支持できる。
【００１５】
また、請求項２に係わる発明は、吹出口の一面側に支持される風向き調整部材を吹出口に固定する固定部を有している。吹出口の他面側に固定穴を設け、風向き調整部材の固定部を挿入するようにしている。長孔を支持する支持部で風向き調整部材の一面側を支持するだけでなく、固定部で風向き調整部材の他面側を固定することで、風向き調整部材が風によって振動することを抑えることができる。
【図面の簡単な説明】
【００１７】
【図１】本発明の実施例である空気調和機の斜視図である。
【図２】本発明の実施例における風向き調整部材の部品説明図である。
【図３】本発明の実施例における空気調和機の吹出口の拡大斜視図である。
【図４】本発明の実施例における空気調和機の断面図であり、（Ａ）は風向き調整部材と吹出口の要部断面図、（Ｂ）は（Ａ）の要部拡大図である。
【図５】本発明の実施例における空気調和機の断面図であり、片縁固定爪による取り付け方法を示す要部断面図である。
【発明を実施するための形態】
【００１８】
以下、本発明の実施の形態を、添付図面に基づいて詳細に説明する。尚、この実施例によりこの発明が限定されるものではない。
【実施例】
【００１９】
本発明の実施形態に係る風向き調整機構を備えた空気調和機の斜視図を図１に示す。図２には、図１の空気調和機の吹出口の拡大斜視図が示されている。
【００２０】
〔空気調和機本体の構成〕
この空気調和機１００は、空気を調和して室内に供給するための装置であり、室内の壁面などに取り付けられる室内機であって、室外に設置される図示しない室外機と共に空調運転を行なう。空気調和機１００内には図示しない室内熱交換器が収納され、室外機内には室外熱交換器が収納される。また、室内熱交換器や室外熱交換器が冷媒を輸送する冷媒配管によって接続されることにより、冷媒回路が構成されている。    
【００２１】
空気調和機１００は、正面視において横方向に長い形状を有している（図１参照）。空気調和機１００は、主として、室内熱交換器およびクロスフローファンを有する本体部分と、吹出口１２０を有するケーシング１２１と、吹出口に取付けられる風向き調整部材３００とによって構成されている。また、前面パネル１１０は、空気調和機１００の前面側を覆うように設けられている。
【００２２】
前面パネル１１０は、図１に示すように、空気調和機１００の前部を構成している。この前面パネル１１０は、空気調和機１００に対して開閉することで、吸込口を構成するようになっている。
【００２３】
また、空気調和機１００の前面下部には、空気調和機１００の長辺方向（幅方向）に沿う開口からなる吹出口１２０が設けられている。この吹出口１２０から、クロスフローファンによって生成された空気流が室内へと吹き出される。また、ケーシング１２１は、クロスフローファンによって生成された空気流を導出する吹出口１２０を構成している。吹出口１２０には、図示しない水平フラップ、および風向き調整部材３００が設けられている。
【００２４】
〔風向き調整部材の構成〕
図２は、図１の風向き調整部材３００の部品説明図である。
風向き調整部材３００は、クロスフローファンによって生成された空気流の向きを変えるための複数の左右風向板３４０と、複数の左右風向板３４０を連結する連結部３２０と、連結部３２０に設けられた風向き調整部材３００を手動で操作するためのツマミ３３０と、連結部３２０に設けられ、後述する両縁固定爪２１０あるいは片縁固定爪２２０に係合する、前側縁３１１および後側縁３１２を有する円弧状の長孔３１０と、風向き調整部材３００を左右へ移動したときにクリック感を発生させるノッチ３２１と、風向き調整部材３００を後述するケーシング１２１の下壁に固定する固定部３５０とを備えている。
【００２５】
連結部３２０は、複数の左右風向板３４０の風下側であって、後述するケーシング１２１の上壁１３０に沿うように設けられている。連結部３２０により複数の左右風向板３４０を連結させることで、組み立て時の部品点数を削減し組立工数を低減させることができる。
【００２６】
長孔３１０が、両縁固定爪２１０あるいは片縁固定爪２２０と係合することによって、風向き調整部材３００に設けられた複数の左右風向板３４０が、長辺方向に沿って移動可能に支持されている。また、後述するノッチ爪２３０がノッチ３２１と勘合することにより、クリック感を発生させている。
【００２７】
ノッチ３２１は、連結部３２０に対して、複数の左右風向板３４０が接合されている側とは反対側に設けられている。さらに、ノッチ３２１は隣り合う左右風向板３４０の間に設けられており、その部分の連結部３２０は、他の部分よりも細くなっている。これにより、ノッチ３２１に対応する連結部３２０がたわみやすくなるため、後述するツマミ３３０で風向き調整部材３００を操作する際のクリック感を得ることができる。
【００２８】
〔吹出口の構成〕
図３は、図１の吹出口１２０を説明する拡大斜視図である。
ケーシング１２１には、風向き調整部材３００が取付けられている。風向き調整部材３００に設けられた一方の長孔３１０の前側縁３１１および後側縁３１２を支持する両縁固定爪２１０は、後述する支持部２００を介してケーシング１２１の上壁１３０に支持されている。これにより、風向き調整部材３００を強く引っ張った場合でも、長孔３１０の両縁（前側縁３１１および後側縁３１２）を保持しているため、風向き調整部材３００が吹出口１２０から脱落することを防止できる。
【００２９】
風向き調整部材３００に設けられた他方の長孔３１０の前側縁３１１を支持する片縁固定爪２２０は、後述する支持部２００を介してケーシング１２１の上壁１３０に支持されている。これにより、風向き調整部材３００を二箇所で支持でき、風向き調整部材３００が支持部２００に対して回転しなくなるため、より強固に風向き調整部材３００を支持できる。
【００３０】
また、風向き調整部材３００の固定部３５０は、後述するケーシング１２１の下壁１４０に固定されている。
【００３１】
ツマミ３３０は、風向き調整部材３００を手動で操作するための部材である。ツマミ３３０は、風向き調整部材３００に設けられたノッチ３２１の近傍に設けられている。ツマミ３３０は、風向き調整部材３００の連結部３２０の表面から突出している。
【００３２】
ノッチ爪２３０は、風向き調整部材３００を左右へ移動したときにクリック感を発生させるようにノッチ３２１に当接するよう設けられている。ノッチ爪２３０はノッチ３２１に複数設けられている凹部に嵌合するようになっており、風向き調整部材３００の操作時のクリック感を出すことができる。また、風向き調整部材３００を移動させるとノッチ爪２３０とノッチ３２１の嵌合する箇所が変わり、左右風向板３４０が送風機から送出される風に対して一定の角度となった状態で保持できるため、左右風向板３４０の向きに風向きを変更することが可能となる。
【００３３】
図４（Ａ）は風向き調整部材と吹出口の要部断面図であり、（Ｂ）は（Ａ）の要部拡大図である。
風向き調整部材３００は、ケーシング１２１の上壁１３０に両縁固定爪２１０により支持されるとともに、下壁１４０に固定部３５０で固定されている。
【００３４】
支持部２００を介してケーシング１２１の上壁１３０に設けられている両縁固定爪２１０の長さは、長孔３１０の短手方向の長さよりも長く、前側縁３１１および後側縁３１２を支持している。これにより、両縁固定爪２１０が長孔３１０から脱落することがなく、風向き調整部材３００を確実に吹出口１２０に支持できる。
【００３５】
図５は片縁固定爪による取り付け方法を示す要部断面図である
風向き調整部材３００は、ケーシング１２１の上壁１３０に片縁固定爪２２０により支持されている。支持部２００を介してケーシング１２１の上壁１３０に設けられている片縁固定爪２２０の長さは、長孔３１０の短手方向の長さよりも短く、前側縁３１１または後側縁３１２の一方を支持している。これにより、両縁固定爪２１０と片縁固定爪２２０の二箇所で長孔３１０を支持することができるため、風向き調整部材３００が支持部２００に対して回転することを防止できる。
【００３６】
〔取り付け方法について〕
上述したように、風向き調整部材３００に設けられた長孔３１０は、その長手方向を風向き調整部材３００の移動方向に対して同じくしており、その短手方向は移動方向に対して直角となっている。また、吹出口１２０の上壁１３０に設けられている両縁固定爪２１０は、風向き調整部材３００の移動方向に対して直角に支持されており、風向き調整部材３００に設けられた長孔３１０の短手方向の長さよりも長くなっている。そのため、風向き調整部材３００に設けられた長孔３１０の長手方向を風向き調整部材３００の移動方向と同じくしたままでは、風向き調整部材３００を両縁固定爪２１０に取り付けることはできない。
【００３７】
よって、風向き調整部材３００を吹出口１２０に取り付ける際、風向き調整部材３００に設けられた長孔３１０の長手方向を前記移動方向とほぼ直角に回転させることで、長孔３１０の長手方向が両縁固定爪２１０の向きと同じくなるようにし、両縁固定爪２１０が長孔３１０を挿通するようにしている。その後、長孔３１０に両縁固定爪２１０を挿通した状態で風向き調整部材３００を回転させ、風向き調整部材３００を吹出口１２０に取付けるようにしている。
【００３８】
そのため、風向き調整部材３００の長孔３１０の短手方向よりも長い両縁固定爪２１０によって、風向き調整部材３００を吹出口１２０に支持することが可能となる。
【００３９】
ここで風向き調整部材３００を吹出口１２０に取付ける際、片縁固定爪２２０を長孔３１０に挿通するようにしても良い。その場合、長孔３１０に両縁固定爪２１０を挿通した状態で風向き調整部材３００を回転させつつ、片縁固定爪２２０の先端側から長孔３１０に挿入する。
【００４０】
なお、片縁固定爪２２０で支持される長孔３１０の短手方向の長さを、両縁固定爪２１０で支持される長孔３１０の短手方向の長さよりも長くし、片縁固定爪２２０を挿入しやすくしても良い。
【００４１】
上記実施形態では、風向き調整部材３００を備えた空気調和機を例にあげて説明したが、本発明はこれに限定されるものではなく、送風装置の吹出口であれば、本発明の風向き調整機構を適用することが可能である。
【符号の説明】
【００４２】
100  本体
110  前面パネル
120  吹出口
130  上壁
140  下壁
200  支持部
210  両縁固定爪
220  片縁固定爪
230  ノッチ爪
300  風向き調整部材
310  長孔
311  前側縁
312  後側縁
320  連結部
321  ノッチ
330  つまみ
340  左右風向板
350  固定部
【図１】
0005589420.tif 000002
【図２】
0005589420.tif 000003
【図３】
0005589420.tif 000004
【図４】
0005589420.tif 000005
【図５】
0005589420.tif 000006